(57)【要約】【課題】  ホッパー装置から払い出されるメダルの枚数を正確にカウントするとともに、不正なメダルの払い出しを未然に防止する。【解決手段】  ロータリーディスク５０を回転させるモータ６２の駆動軸に組み付けられるギヤ６３にスリット盤６７を一体に設け、このスリット盤６７のスリットを第１ホトインタラプタ（ＰＩ）７５によって検出する。メダル１枚の払い出しの際に第１ＰＩ７５から出力される信号の数は予め分かっているから、制御回路装置７０の信号判定部７８は、第１ＰＩ７５からの信号と、カウンターアーム５５の検出片５５ｂを検出する第２ＰＩ７６からの信号と、モータ６２の駆動信号とから、ホッパー装置３５が正常に駆動しているか否かを判定し、正常に駆動していない場合には、エラー報知を行う。【選択図】        図４
2005160635.tif 000002
【特許請求の範囲】
【請求項１】
遊技を行って入賞を得た場合に、その入賞に対する遊技媒体の払い出しが行われる遊技機において、
遊技媒体の払い出しの際に駆動する駆動装置と、
前記駆動装置の駆動を検出し、駆動検出信号を出力する駆動検出部と、
前記払い出される遊技媒体が接触する初期位置と、当接された遊技媒体に押圧されて退避する退避位置との間で移動するカウンタアームと、
前記カウンタアームを前記初期位置に付勢する付勢部材と、
前記退避位置に回動したカウンタアームを検出し、遊技媒体の払出し検出信号を出力する払出し検出部と、
を有するホッパー装置の他に、
前記ホッパー装置を駆動させる駆動信号を出力する信号出力手段と、
前記駆動信号、前記駆動検出信号及び払出し検出信号に基づいて、前記ホッパー装置による遊技媒体の払い出しが正常に行われているか否かを判定する判定手段とを備えたことを特徴とする遊技機。
【請求項２】
前記駆動信号が出力されているときに、前記駆動検出信号及び払出し検出信号が予め設定された時間を超えて出力された場合、前記判定手段は前記ホッパー装置による遊技媒体の払い出しが正常に行われていないと判定することを特徴とする請求項１記載の遊技機。
【請求項３】
前記駆動信号、及び前記払出し検出信号が出力されているときに、前記駆動検出信号が予め設定された時間を超えて出力された場合、前記判定手段は前記ホッパー装置による遊技媒体の払い出しが正常に行われていないと判定することを特徴とする請求項１又は２記載の遊技機。
【請求項４】
前記駆動信号、及び前記払出し検出信号が出力されているときに、前記駆動検出信号が出力されていない場合、前記判定手段は前記ホッパー装置による遊技媒体の払い出しが正常に行われていないと判定することを特徴とする請求項１〜３いずれか記載の遊技機。
【請求項５】
前記駆動信号が出力されていないときに、前記駆動検出信号が出力された場合、前記判定手段は前記ホッパー装置による遊技媒体の払い出しが正常に行われていないと判定することを特徴とする請求項１〜４いずれか記載の遊技機。
【請求項６】
前記駆動信号が出力されていないときに、前記払出し検出信号が出力された場合、前記判定手段は前記ホッパー装置による遊技媒体の払い出しが正常に行われていないと判定することを特徴とする請求項１〜５いずれか記載の遊技機。
【請求項７】
前記判定手段により前記ホッパー装置による遊技媒体の払い出しが正常に行われていないと判定された場合に、この判定を報知する報知手段を設けたことを特徴とする請求項１〜６いずれか記載の遊技機。
【請求項８】
前記判定手段により前記ホッパー装置による遊技媒体の払い出しが正常に行われていないと判定された場合に、遊技における制御を停止する制御停止手段を設けたことを特徴とする請求項１〜７いずれか記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に所定枚数のメダル（遊技媒体）を投入することで遊技を行うことが可能となり、遊技を行って入賞を得た場合には、パチスロ機の内部に設けられたホッパー装置が駆動して、その入賞に対して所定枚数のメダルが付与利益としてスロットマシンの下部に設けられた払い出し口から払い出されるようになっている。
【０００３】
上記スロットマシンに組み込まれるホッパー装置は、その上部に設けられた貯留箱に貯留されたメダルを振り分けるロータリディスクと、このロータリディスクによって振り分けられたメダルが払い出し口に移動する際に、払い出されるメダルによって回動するカウンタアームを備えており、このカウンタアームの動作をセンサによって検出する。このセンサからの検出信号は、遊技における制御を行う制御回路装置に送られ、この制御回路装置によってカウントされる。そして、このカウント数がメダルの払い出し枚数と一致した場合に制御回路装置は、ホッパー装置の駆動を停止させる。これにより、メダルの払い出しが終了する。
【発明の開示】
【発明が解決しようとする課題】
【０００４】
しかしながら、制御回路装置は、カウンタアームの検出時間が予め設定された基準時間内の場合に１枚のメダルが払い出されたと判断しカウントを行うようになっている。しかしながら、ホッパー装置によるメダルの払い出しの際には、ロータリディスクが回転しているため、例えば払い出し口から針金等の異物を挿入して上記カウンタアームを不正に基準時間ぎりぎりまで動作させると、通常メダル１枚の払い出しの間に、複数枚のメダルが払い出されてしまうという問題がある。また、この不正な行為をメダルの払い出し枚数に対応した回数行われてしまうことによって、より多くのメダルが払い出されてしまうという問題がある。
【０００５】
上記問題を解決する方法として、カウンタアームの動作を検出する代わりに、例えばホッパー装置の排出口と、スロットマシンの払い出し口とを繋ぐ通路内にホッパー装置から払い出されるメダルを検出するセンサを設け、払い出されるメダルの個数をカウントすることが考えられるが、複数枚のメダルが重なって通路内を移動した場合に、センサでは１枚のメダルとして検出されてしまうなど、払い出されるメダルの個数を正確にカウントすることができないという問題がある。また、ホッパー装置の駆動中には、ロータリディスクが回転し続けるので、払い出されたメダルがセンサに検出された時には、ロータリディスクの回転によって振り分けられた次のメダルがホッパー装置の排出口から排出されていることになる。これにより、センサによって検出されたメダルのカウント数が払い出し枚数となった場合にホッパー装置の駆動を停止しても次のメダルが払い出されてしまっているので、結果的に入賞に対する払い出し枚数よりも実際に払い出されるメダルの枚数が多くなってしまうという問題がある。
【０００６】
本発明は、上記従来技術の問題を解決するためになされたものであり、ホッパー装置から払い出されるメダルの枚数を正確にカウントすることができるようにするとともに、不正なメダルの払い出しを未然に防止することができるようにした遊技機を提供することを目的とする。
【課題を解決するための手段】
【０００７】
本発明の遊技機は、遊技を行って入賞を得た場合に、その入賞に対する遊技媒体の払い出しが行われるものであり、遊技媒体の払い出しの際に駆動する駆動装置と、前記駆動装置の駆動を検出し、駆動検出信号を出力する駆動検出部と、前記払い出される遊技媒体が接触する初期位置と、当接された遊技媒体に押圧されて退避する退避位置との間で移動するカウンタアームと、前記カウンタアームを前記初期位置に付勢する付勢部材と、前記退避位置に回動したカウンタアームを検出し、遊技媒体の払出し検出信号を出力する払出し検出部と、を有するホッパー装置の他に、前記ホッパー装置を駆動させる駆動信号を出力する信号出力手段と、前記駆動信号、前記駆動検出信号及び払出し検出信号に基づいて、前記ホッパー装置による遊技媒体の払い出しが正常に行われているか否かを判定する判定手段とを備えたことを特徴とする。
【０００８】
また、前記駆動信号が出力されているときに、前記駆動検出信号及び払出し検出信号が予め設定された時間を超えて出力された場合、前記判定手段は前記ホッパー装置による遊技媒体の払い出しが正常に行われていないと判定することが好ましい。
【０００９】
また、前記駆動信号、及び前記払出し検出信号が出力されているときに、前記駆動検出信号が予め設定された時間を超えて出力された場合、前記判定手段は前記ホッパー装置による遊技媒体の払い出しが正常に行われていないと判定することが好ましい。
【００１０】
また、前記駆動信号、及び前記払出し検出信号が出力されているときに、前記駆動検出信号が出力されていない場合、前記判定手段は前記ホッパー装置による遊技媒体の払い出しが正常に行われていないと判定することが好ましい。
【００１１】
また、前記駆動信号が出力されていないときに、前記駆動検出信号が出力された場合、前記判定手段は前記ホッパー装置による遊技媒体の払い出しが正常に行われていないと判定することが好ましい。
【００１２】
また、前記駆動信号が出力されていないときに、前記払出し検出信号が出力された場合、前記判定手段は前記ホッパー装置による遊技媒体の払い出しが正常に行われていないと判定することが好ましい。
【００１３】
また、前記判定手段により前記ホッパー装置による遊技媒体の払い出しが正常に行われていないと判定された場合に、この判定を報知する報知手段を設けたことが好ましい。
【００１４】
また、前記判定手段により前記ホッパー装置による遊技媒体の払い出しが正常に行われていないと判定された場合に、遊技における制御を停止する制御停止手段を設けたことが好ましい。
【発明の効果】
【００１５】
本発明の遊技機は、遊技を行って入賞を得た場合に、その入賞に対する遊技媒体の払い出しが行われるものであり、遊技媒体の払い出しの際に駆動する駆動装置と、前記駆動装置の駆動を検出し、駆動検出信号を出力する駆動検出部と、前記払い出される遊技媒体が接触する初期位置と、当接された遊技媒体に押圧されて退避する退避位置との間で移動するカウンタアームと、前記カウンタアームを前記初期位置に付勢する付勢部材と、前記退避位置に回動したカウンタアームを検出し、遊技媒体の払出し検出信号を出力する払出し検出部と、を有するホッパー装置の他に、前記ホッパー装置を駆動させる駆動信号を出力する信号出力手段と、前記駆動信号、前記駆動検出信号及び払出し検出信号に基づいて、前記ホッパー装置による遊技媒体の払い出しが正常に行われているか否かを判定する判定手段とを備えたので、ホッパー装置における遊技媒体の払い出し個数を正確に把握することができる。また、判定手段で、ホッパー装置による遊技媒体の払い出しが正常に行われているか否かを判定することによって、不正な処理を未然に防止することができる。
【００１６】
また、前記駆動信号が出力されているときに、前記駆動検出信号及び払出し検出信号が予め設定された時間を超えて出力された場合、前記判定手段は前記ホッパー装置による遊技媒体の払い出しが正常に行われていないと判定するから、ホッパー装置の異常を確実に検出することができる。
【００１７】
また、前記駆動信号、及び前記払出し検出信号が出力されているときに、前記駆動検出信号が予め設定された時間を超えて出力された場合、前記判定手段は前記ホッパー装置による遊技媒体の払い出しが正常に行われていないと判定するから、ホッパー装置の異常を確実に検出することができる。
【００１８】
また、前記駆動信号、及び前記払出し検出信号が出力されているときに、前記駆動検出信号が出力されていない場合、前記判定手段は前記ホッパー装置による遊技媒体の払い出しが正常に行われていないと判定するから、ホッパー装置の異常を確実に検出することができる。
【００１９】
また、前記駆動信号が出力されていないときに、前記駆動検出信号が出力された場合、前記判定手段は前記ホッパー装置による遊技媒体の払い出しが正常に行われていないと判定するから、ホッパー装置の異常を確実に検出することができる。
【００２０】
また、前記駆動信号が出力されていないときに、前記払出し検出信号が出力された場合、前記判定手段は前記ホッパー装置による遊技媒体の払い出しが正常に行われていないと判定するから、ホッパー装置の異常を確実に検出することができる。
【００２１】
また、前記判定手段により前記ホッパー装置による遊技媒体の払い出しが正常に行われていないと判定された場合に、この判定を報知する報知手段を設けたから、ホッパー装置の異常を遊技場の店員等に報知することで、例えばホッパー装置における遊技媒体の払い出しの際の不正な行為を未然に防止することができる。
【００２２】
また、前記判定手段により前記ホッパー装置による遊技媒体の払い出しが正常に行われていないと判定された場合に、遊技における制御を停止する制御停止手段を設けたから、例えばホッパー装置における遊技媒体の払い出しの際の不正な行為を未然に防止することができる。
【発明を実施するための最良の形態】
【００２３】
図１に示すように、スロットマシン２は、収納箱４と、この収納箱４の前面に設けられた前面扉５とからなる筐体３の内部に、後述する第１〜第３リール１１ａ〜１１ｃ、ホッパー装置３５、電源装置等が配設された構成となっている。
【００２４】
前面扉５は、上部扉６と下部扉７との２枚の扉から構成される。上部扉６には表示窓１０が設けられ、この表示窓１０の奥に第１リール１１ａ，第２リール１１ｂ，第３リール１１ｃが配設されている。周知のように、第１〜第３リール１１ａ〜１１ｃの外周には様々な図柄が一定ピッチで配列され、リールが停止した状態では対応する表示窓１０を通して１リール当たり３個の図柄が観察される。これにより、各リールの図柄を１個ずつ組み合わせた直線状の入賞ラインが横３本斜め２本の合計５本設定されている。この第１〜第３リール１１ａ〜１１ｃの側方には液晶表示装置１３が設けられ、例えばアニメーション表示を利用した演出を行う。なお、表示窓１０の個数は１つに限定する必要はなく、例えば各々のリール毎に表示窓を設けるようにしてもよい。
【００２５】
下部扉７の上部には、ゲームの開始時に操作される１枚ベットボタン２０、ＭＡＸベットボタン２１、ペイアウトボタン２２などの各種の操作ボタンが設けられる。なお、これらのボタンの機能はいずれも周知であるので、その詳細については省略する。また、これらボタンの近傍には、メダルベットが行われた後に操作されるスタートレバー２３や、スタートレバー２３の操作により回転するリールを停止させるための第１〜第３ストップボタン２４〜２６等が設けられる。
【００２６】
また、下部扉７には、ゲームを行う際にメダル（遊技媒体）３０を投入するためのメダル投入口２７が設けられている。メダル投入口２７の奥にはセレクタが組み込まれ、不適正なメダル３０はメダル払出口２８を介してメダル受け皿２９に排出される。また、セレクタは、例えばゲームの途中や各種の操作ボタンが押されたままの状態で投入された等の不適切なタイミングでメダル３０の投入が行われたときに、投入されたメダル３０をメダル受け皿２９に排出する。なお、ゲームの開始に先立って投入するメダル３０の枚数は１〜３枚に限られているため、クレジット機能を用いていないときには４枚目以降に投入されたメダル３０はメダル受け皿２９に排出される。
【００２７】
一方、クレジット機能がオン状態のときには４枚目以降に投入されたメダル３０は、図示しないメダルセンサで検知され、例えば５０枚を限度にスロットマシン２の内部に貯留される。このクレジット機能を用いているときには、前述した１枚ベットボタン２０やＭＡＸベットボタン２１の操作によりメダル３０の投入操作が行われ、そのベット枚数がクレジット枚数から逐次に減算される。また、ゲームの結果、入賞が得られたときには配当となるメダル３０もクレジットされ、ペイアウトボタン２２を操作したときにクレジットされているメダル３０がメダル受け皿２９に払い出される。
【００２８】
図２は、スロットマシン２の払出し装置であるホッパー装置３５の近傍を示す斜視図である。ホッパー装置３５は、このスロットマシン２で遊技を行って入賞を得た場合に作動し、入賞に対するメダル３０を連続してメダル受け皿２９に払い出す。このホッパー装置３５の上部には、払出し用のメダル３０を貯留する貯留タンク３６が設けられている。この貯留タンク３６には、メダル投入口２７から投入されたメダル３０が貯留される。なお、符号３７は排出口であり、下部扉７を閉じると、下部扉７に設けられた排出経路４０の一端に設けられた開口に挿通され、この排出口３７から排出されたメダルは、排出経路４０の内部を移動して、下部扉７に設けられた払い出し口２８からメダル受け皿２９に払い出される。オーバーフロー用の貯留箱３２は、ホッパー装置３５の貯留タンク３６に貯留されたメダル３０が所定量を超えたときに、貯留タンク３６から排出されたメダル３０を貯留する。
【００２９】
図３及び図４に示すように、ホッパー装置３５は、後述するロータリディスク５０、該ロータリディスク５０を回転させるための駆動機構６０等を備え、これら部材が基部となるベース部材４６に組み付けられた構成となっている。このベース部材４６の上面中央には凹部４６ａが設けられている。ベース部材４６には凹部４６ａからベース部材４６の一端に向けて溝（切り欠き）が設けられており、この溝がロータリディスク５０によって押し出されたメダル３０を通過させる通路４６ｂとなる。この通路４６ｂの近傍には、後述するロータリディスク５０の開口５０ａ〜５０ｅに入り込んだメダル３０を通路４６ｂに向けて案内する突部４７，４８が２箇所設けられている。
【００３０】
ロータリディスク５０は５個の開口５０ａ〜５０ｅが、隣り合う開口の中心との角度が同一の角度となるように配設される。このロータリディスク５０の底面には、前記開口５０ａ〜５０ｅから入り込んだメダル３０を収納するメダル収納部５１ａを形成する円弧状の突片５１と、この突片５１に連なるように設けられ、上記突部４７，４８によって通路４６ｂに案内されるメダル３０を押し出す押圧片５２とを備えている。この押圧片５２は、ロータリディスク５０の中心側からロータリディスク５０の外周に延設されている。なお、突片５１と押圧片５２の高さは、メダル１枚の厚み以上メダル２枚の厚み未満とする。これにより、ロータリディスク５０が回転すると、貯留タンク３６に貯留されたメダル３０のうち最下層のメダル３０がロータリディスク５０の開口５０ａ〜５０ｅのいずれかに入り込みメダル収納部５１ａに収納される。そして、ロータリディスク５０の回転によってメダル収納部５１ａに収納されたメダル３０は、上記突部４７，４８に当接されることで、メダル収納部５１ａから逸脱した後に、押圧片５２によって通路４６ｂに向けて押し出される。
【００３１】
上記ベース部材４６に設けられる通路４６ｂの一端（図３中右側）には、略Ｌ字状のカウンタアーム５５が回動自在に設けられる。このカウンタアーム５５の一端には、通路４６ｂへと押し出されたメダル３０に押圧される押圧部５５ａを備えている。また、カウンタアーム５５の他端は板状から形成され、後述する第２ホトインタラプタ（以下、第２ＰＩと称する）７６により検出される検出片５５ｂとなる。なお、符号５５ｃは、カウンタアーム５５の軸部である。このカウンタアーム５５は、その押圧部５５ａが通路４６ｂに突出する初期位置（図３参照）と、通路４６ｂから退避する退避位置（図７参照）との間で回動する。このカウンタアーム５５はバネ（付勢部材）５６の付勢によって、初期位置に保持される。
【００３２】
駆動装置６０は、ベース部材４６の底面側に組み付けられる。この駆動装置６０は、ギヤ機構６１と、モータ６２から構成される。ギア機構６１は、ギヤ６３、６４及び２段ギヤ６５から構成される。２段ギヤ６５のギヤ６６はギヤ６３と、２段ギヤ６５のギヤ６７は、ギヤ６４とそれぞれ噛み合うように配設される。モータ６２の駆動軸に固着されるギヤ６３には、後述する第１ホトインタラプタ（以下、第１ＰＩと称する）７５によって、モータ６２の回転を検出するためのスリット盤６７が一体に設けられている。また、ギヤ６４の回転軸６４ａの一端は、ロータリディスク５０と連結されている。これにより、モータ６２が駆動すると、ギヤ機構６１を介してロータリディスク５０が回転することになる。
【００３３】
制御回路装置７０は、ＣＰＵ７１、ＲＯＭ７２及びＲＡＭ７３を備えている。ＣＰＵ７１は、スロットマシン２の電気的統制を行うために設けられる。なお、本実施形態では、ホッパー装置３５を駆動する箇所のみを説明し、遊技に関与する箇所については、その説明を省略するものとする。ＲＯＭ７２には、遊技実行プログラム及び信号判定プログラム等の制御プログラムの他に、遊技における当選役又はハズレを決定する当選テーブルや、入賞役と、払出し枚数とが対応づけられた配当テーブル等の制御データが記憶される。ＲＡＭ７３は、上記制御プログラムを実行した際に算出されるデータ等を一時記憶するために設けられる。
【００３４】
ＣＰＵ（信号出力手段）７１は、遊技の際に入賞を得た場合に、ホッパー装置３５に駆動信号を出力するとともに、後述する第２ＰＩ７６からの信号の数が払い出し枚数と一致した場合に駆動停止信号を出力する。この駆動信号及び駆動停止信号はドライバ７４に入力され、ドライバ７４によってモータ６２の駆動制御が行われる。
【００３５】
第１ＰＩ（駆動検出部）７５は、ギヤ６３に設けられたスリット盤６７の各スリットを検出したときに、駆動検出信号となるオン信号をＣＰＵ７１に向けて出力する。第２ＰＩ（払出し検出部）７６は、カウンタアーム５５の検出片５５ｂを検出した場合に、払出し検出信号となるオフ信号をＣＰＵ７１に向けて出力する。
【００３６】
計時部７７は、ＣＰＵ７１からモータ６２に向けて駆動信号が出力されてから第２ＰＩ７６からのオフ信号が入力されるまでの時間Ｓを計時するとともに、第２ＰＩ７６からのオフ信号の入力されている時間Ｔをそれぞれ計時する。
【００３７】
信号判定部（判定手段）７８は、計時部７７による上記時間Ｓ、Ｔをそれぞれ監視して、ＣＰＵ７１からモータ６２に向けて駆動信号が出力されてから第２ＰＩ７６からのオフ信号が入力されるまでの時間Ｓが基準時間（予め設定された時間）Ｓ１以内であるか否か、また、第２ＰＩ７６からのオフ信号の入力時間Ｔが、基準時間（予め設定された時間）Ｔ１以内であるか否かをそれぞれ判断して、これら判断結果に基づいて、ホッパー装置３５が正常に駆動しているか否かを判定する。
【００３８】
次に、本実施形態の作用について説明する。遊技が行われて入賞を得た場合には、ＣＰＵ７１は、ホッパー装置３５に向けて駆動信号を出力する。これを受けて、ドライバ７４はモータ６２を回転させる。モータ６２が駆動すると、ギヤ機構６１を構成する各ギヤが回転するので、ギヤ６４の回転軸６４ａに連結されたロータリディスク５０が回転を開始する。以下では、ロータリディスク５０の開口５０ａ〜５０ｅのうち開口５０ａにメダル３０が入り込んだ時の例を示す。図３に示すように、ロータリディスク５０が図３中Ａ方向に回転すると、開口５０ａに入り込んだメダル３０は、ロータリディスク５０の底面に設けられたメダル収納部５１ａに収納される。
【００３９】
図５に示すように、ロータリディスク５０の回転によって、メダル収納部５１ａに収納されたメダル３０は、突部４７に当接する。メダル収納部５１ａを形成する突片５１と突部４７とに挟持されたメダル３０は、図中Ｂ方向に移動し、突部４８と当接する。なお、ロータリディスク５０に設けられた押圧片５２は、ロータリディスク５０の中心からロータリディスク５０の外周に向けて延設されており、ロータリディスク５０が回転することによって、メダル３０は押圧片５２によってロータリディスク５０の外側に向けて（図中Ｂ方向）押圧される。これにより、図６に示すように、メダル３０は、カウンタアーム５５の押圧部５５ａと、通路４６の側壁面４６ｄとに接触する。
【００４０】
図６に示すように、メダル３０がカウンタアーム５５の押圧部５５ａと、通路４６の側壁面４６ｄとに当接した後も、メダル３０は押圧片５２によって押圧されているので、カウンタアーム５５の押圧部５５ａは、図中Ｂ方向に移動するメダル３０によってカウンタアーム５５の押圧部５５ａが押圧され、カウンタアーム５５が退避位置に向けて（図中Ｃ方向に）回転する。
【００４１】
図７に示すように、カウンタアーム５５が退避位置に移動すると、その検出片５５ｂが第２ＰＩ７６に検出される。ロータリディスク５０の回転によって、押圧片５２によるメダル３０の押圧が終了すると、カウンタアーム５５がバネ５６の付勢を受けて初期位置に向けて回転し、メダル３０がホッパー装置３５の排出口３７に向けて（図中Ｅ方向に）弾き出される。これにより、１枚のメダルが払い出される。なお、ロータリディスク５０の回転時には、他の開口５０ｂ〜５０ｅにもメダルが入り込んでおり、ロータリディスク５０の回転時には、開口５０ａにメダル３０が入り込んだ場合と同様の動作によって、他の開口に入り込んだメダル３０が排出口３７に向けて弾き出される。
【００４２】
なお、メダル３０の払い出しの際に、ＣＰＵ７１は駆動信号をドライバ７４に向けて出力するとともに、計時部７７に対して計時開始信号を、信号判定部７８に判定開始信号を出力する。これを受けて、計時部７７は駆動信号が出力されてからの時間を計時する。
【００４３】
ＣＰＵ７１が駆動信号を出力するとモータ６２が回転するようになっているから、第１ＰＩ７５はギア６３に設けられたスリット盤６７のスリットを検出するたびに、オン信号を制御回路装置７０に出力する。
【００４４】
第２ＰＩ７６は、排出されるメダル３０の押圧を受けて回転するカウンタアーム５５の検出片５５ｂを検出すると、制御回路装置７０に向けてオフ信号を出力する。第２ＰＩ７６からのオフ信号を受けると、信号判定部７８は、駆動信号が出力されてから第２ＰＩ７６からオフ信号が出力されるまでの時間Ｓが基準時間Ｓ１（例えば、Ｓ１＝２００ｍｓ）未満であるか否かを判定する。なお、正常にホッパー装置３５が駆動しているときには、Ｓ＜Ｓ１（＝２００ｍｓ）となる。
【００４５】
信号判定部７８に第２ＰＩ７６からのオフ信号が入力されると、計時部７７は第２ＰＩ７６からオフ信号が出力されてからオン信号になるまでの時間Ｔを計時する。信号判定部７８は、この時間Ｔが基準時間Ｔ１（例えば、Ｔ１＝２．５ｍｓ）未満であるか否かを判定する。なお、正常に駆動している場合には、Ｔ＜Ｔ１（＝２．５ｍｓ）となる。
【００４６】
また、信号判定部７８は、第２ＰＩ７６からのオフ信号の数に対して、第１ＰＩ７５からのオン信号の数が、予め正しい比率となっているか否かを判定する。図８に示すように、正常に駆動している場合は、第２ＰＩ７６からのオフ信号が１個に対して、第１ＰＩ７５からのオン信号の数が２個となる。
【００４７】
信号判定部７８における判定が正しいものである場合は、ホッパー装置３５によるメダル３０の払い出しが行われ、図示しないカウンタによってカウントされた第２ＰＩ７６からのオフ信号の数がメダル３０の払い出し枚数と一致した場合に、ＣＰＵ７１は駆動停止信号をドライバ７４に出力する。これにより、ホッパー装置３５の駆動が停止し、メダル３０の払い出しが終了する。
【００４８】
このホッパー装置３５が駆動してメダル３０の払い出しが行われた場合に、第２ＰＩ７６からのオフ信号が基準時間Ｔ１（＝２００ｍｓ）を超えて出力されている場合、信号判定部７８は、第１ＰＩ７５から複数個のオン信号が検出されているか、又は第１ＰＩ７５から１個のオン信号が出力され続けているかを判定する。図９に示すように、第１ＰＩ７６からの１個のオン信号が出力されつづけている場合にはモータ６２が停止していると判断し、ロータリディスク５０においてメダル詰まりがあると判定する。一方、図１０に示すように、第１ＰＩ７５からオン信号が複数個出力されている場合には、モータ６２が駆動していると判断し、カウンタアーム５５の近傍でメダル詰まりがあると判定する。
【００４９】
また、図１１に示すように、ホッパー装置３５に駆動信号を出力してから基準時間Ｓ１（＝２．５ｍｓ）経過しても、第２ＰＩ７６からのオフ信号が出力されない場合には、ＣＰＵ７１はロータリディスク５０が回転しているが、メダル３０の払い出しが行われていない、所謂貯留タンク３６が空であると判定する。
【００５０】
図４に示すように、信号判定部７８における判定で、ホッパー装置３５が正常に駆動していないことが判定された場合にはＣＰＵ７１にエラー信号を出力する。これを受けて、ＣＰＵ７１はドライバ８０を介して表示器（報知手段）８１にエラー信号に対応するエラー表示を行う。また、ＣＰＵ７１は、例えば、スロットマシン２の前面扉５に組み込まれたＬＥＤの発光や、スピーカ８２による警告音の再生、或いは液晶表示装置１３における警告表示を行う。なお、符号８３は液晶表示装置１３の表示制御を行うドライバ、符号８４はスピーカ８２による音声の再生制御を行うサウンドドライバである。
【００５１】
一方、ＣＰＵ７１により駆動信号がホッパー装置３５に出力されていない場合に、第１ＰＩ７５からオン信号が出力される、又は第２ＰＩ７６からオフ信号が出力される場合がある。図１２に示すように、例えばＣＰＵ７１から駆動信号が出力されていない場合に第１ＰＩ７５からオフ信号が出力された場合、信号判定部７８はモータ６２が不正に駆動されていると判定し、ＣＰＵ７１にエラー信号を出力する。図１３に示すように、ＣＰＵ７１から駆動信号が出力されていない場合に第２ＰＩからオフ信号が出力された場合、信号判定部７８はカウンタアーム５５が不正に操作されたと判定し、ＣＰＵ７１にエラー信号を出力する。この場合も同様に、ＣＰＵ７１によってＬＥＤの発光、スピーカによる警告音の再生、或いは液晶表示装置１３における警告表示を行うと同時に、ＣＰＵ７１は表示器８１に、これらエラー信号に対応する表示を行う。上記ＰＩによって、ホッパー装置３５が正常に駆動しているか否か、またホッパー装置３５が正常に駆動していない場合には、その原因が不正な行為が行われたことによるものか否かを確実に判定することができ、不正な行為を未然に防ぐことができる。
【００５２】
なお、遊技を行っているときに信号判定部７８からエラー信号が出力された場合には、ＣＰＵ（制御停止手段）７１は、例えばリールが回転している場合にはリールの回転を停止させたり、各操作ボタンの押圧を無効にする。また、メダル３０の払い出しが行われている場合に、エラー信号が出力された場合には、ホッパー装置３５を停止させメダル３０の払い出しを中止する。また、この他に、信号判定部７８からＣＰＵ７１にエラー信号が出力された場合に、ＣＰＵ７１は図示しないホールコンピュータに向けてエラー信号を出力することも可能である。
【００５３】
本実施形態では、モータの駆動軸に固定されるギヤにスリット盤を一体に形成し、このスリット盤に設けられるスリットを第１ＰＩで検出することで、モータの駆動を検出するようにしたが、これに限定する必要はなく、ギヤ機構の他のギヤにスリット盤を設けることも可能である。
【図面の簡単な説明】
【００５４】
【図１】本発明のスロットマシンを示す斜視図である。
【図２】スロットマシンの内部構成を示す斜視図である。
【図３】ロータリディスク近傍の構成を示す正面図である。
【図４】ホッパー装置の駆動装置の構成を示す機能ブロック図である。
【図５】ロータリディスクが回転を開始して、メダルが突部に当接した状態を示す正面図である。
【図６】押圧片によってメダルがロータリディスクの外周方向に押し出された状態を示す正面図である。
【図７】押圧片によって押し出されたメダルが、カウンタアームを回動させた状態を示す正面図である。
【図８】２枚のメダルが正常に払い出されるときに出力される信号の例を示すタイミングチャートである。
【図９】メダル詰まりが生じた場合に出力される信号の一例を示すタイミングチャートである。
【図１０】メダル詰まりが生じた場合に出力される信号の一例を示すタイミングチャートである。
【図１１】貯留箱にメダルが無い状態でホッパーが駆動した場合に出力される信号の例を示すタイミングチャートである。
【図１２】ホッパー装置が駆動しない場合に、第１ＰＩから信号が出力された場合の信号の一例を示すタイミングチャートである。
【図１３】ホッパー装置が駆動しない場合に、第２ＰＩから信号が出力された場合の信号の一例を示すタイミングチャートである。
【符号の説明】
【００５５】
２    スロットマシン
３０    メダル（遊技媒体）
３５    ホッパー装置
５０    ロータリディスク
５５    カウンタアーム
５６    バネ（付勢部材）
６０    駆動装置
７５    第１ＰＩ（駆動検出部）
７６    第２ＰＩ（払い出し検出部）
７０    制御回路装置
７１    ＣＰＵ（信号出力手段、制御停止手段）
７７    計時部
７８    信号判定部（判定手段）
８０    表示器（報知手段）
【図１】
2005160635.tif 000003
【図２】
2005160635.tif 000004
【図３】
2005160635.tif 000005
【図４】
2005160635.tif 000006
【図５】
2005160635.tif 000007
【図６】
2005160635.tif 000008
【図７】
2005160635.tif 000009
【図８】
2005160635.tif 000010
【図９】
2005160635.tif 000011
【図１０】
2005160635.tif 000012
【図１１】
2005160635.tif 000013
【図１２】
2005160635.tif 000014
【図１３】
2005160635.tif 000015